(57)【要約】【課題】  背中の痒い部分を人に掻いてもらうように、背中の形状に対応して迅速且つ適格に掻き、また背中を軽くマッサージすることができ、掻き手部や棒状の基部が耐久性に優れ、外観が優れ、使用中にも優雅に心地よく利用することができる装飾品的に優れた孫の手を提供する。【解決手段】  握り部１３を一端に有し適宜の長さに形成された棒状の基部１２と、基部１２の先端に設けられた扁平な掻き手部１５とを備える。扁平な掻き手部１５の基部側の取付部１５ａを基部１２の先端側の扁平部１４に嵌合固着する。掻き手部１５を合成樹脂材より人の手の形状に模して形成する。掻き手部１５先端側に弯曲状の指部１７を形成する。基部または掻き手部に装飾部２１，２２，２５，２７を形成する。【選択図】  図１
0003134313.tif 000002
【実用新案登録請求の範囲】
【請求項１】
握り部を一端に有し適宜の長さに形成された腕部としての棒状の基部と、該基部の先端に設けられた扁平な掻き手部とを備える孫の手において、
前記扁平な掻き手部は合成樹脂材より人の手の形状に模して形成され、掻き手部先端側に弯曲状の指部が形成され、前記基部または扁平な掻き手部の少なくとも何れかに装飾部が形成されていることを特徴とする孫の手。
【請求項２】
前記基部の扁平な掻き手部と近接する側に第１の装飾部が形成されていることを特徴とする請求項１に記載の孫の手。
【請求項３】
前記掻き手部の手首側に第２の装飾部が形成されていることを特徴とする請求項１または請求項２に記載の孫の手。
【請求項４】
前記掻き手部の指部に第３の装飾部が形成されていることを特徴とする請求項１，請求項２及び請求項３の何れかに記載の孫の手。
【請求項５】
前記掻き手部の手のひらに手相が形成されていることを特徴とする請求項１，請求項２，請求項３及び請求項４の何れかに記載の孫の手。
【考案の詳細な説明】
【技術分野】
【０００１】
本考案は孫の手に関し、更に詳細に説明すると、握り部を一端に有し適宜の長さに形成された腕部としての棒状の基部と、該基部の先端に設けられた扁平な掻き手部とを備える孫の手に関する。
【背景技術】
【０００２】
従来より、自分の手では届かない背中の痒い部分を人に掻いてもらうように、容易に掻くことができる孫の手が知られている。この孫の手は従来、竹製，木製のものが多く、旅行のお土産等に適するように民芸品として販売されたりしており、握り部を一端に有し適宜の長さに形成された棒状の腕部と、この腕部の先端に設けられた扁平な掻き手部とを備えている。
【０００３】
従来の孫の手は背中の痒い部分を人に掻いてもらうように、背中の形状に対応して迅速且つ適格に掻くことができず、心地よく快適に利用することができないものであった。また背中の形状に対応するように掻き手部に弯曲部を設けたもの（例えば、特許文献１参照。）、または手関節部等を設けたもの（例えば、特許文献２参照。）などが提案されている。
【特許文献１】特開２００７−１１１３６０号公報
【特許文献２】特開平０８−５７００９号公報
【考案の開示】
【考案が解決しようとする課題】
【０００４】
然し乍ら、従来の孫の手はその名称と共に、竹製，木製等の民芸品調であるため、孫のいる年寄りが利用するイメージが強く、関節等を設けるため構成が複雑となり、また先端の掻き手部に弯曲を形成するため、掻き手部の弯曲が容易な竹製，木製等から形成されている。このため掻き手部の強度が弱く、また腕部を細い棒状の部材から形成した場合には容易に破損する虞れを有していた。更に外観が悪く、美観を向上させることができず、また形状も垢抜けず、優雅に心地よく利用することができないものであった。
【０００５】
本考案の目的は、背中の痒い部分を人に掻いてもらうように、背中の形状に対応して迅速且つ適格に掻くことができ、また背中を軽くマッサージすることができ、掻き手部や腕部としての基部が強度を有し、耐久性に優れ、外観が優れ、趣向を向上させることができ、使用中にも優雅に心地よく利用することができ、また孫の手として使用していない場合にあっても、見ているだけで幸せな気分にすることができ、装飾品的に優れた孫の手を提供するものである。
【課題を解決するための手段】
【０００６】
本考案は上述せる課題に鑑みてなされたもので、本考案の請求項１に記載の孫の手は、握り部を一端に有し適宜の長さに形成された腕部としての棒状の基部と、該基部の先端に設けられた扁平な掻き手部とを備える孫の手において、
前記扁平な掻き手部は合成樹脂材より人の手の形状に模して形成され、掻き手部先端側に弯曲状の指部が形成され、前記基部または扁平な掻き手部の少なくとも何れかに装飾部が形成されていることを特徴とする。
【０００７】
また、本考案の請求項２に記載の孫の手は、前記基部の扁平な掻き手部と近接する側に第１の装飾部が形成されていることを特徴とする。
【０００８】
更に、本考案の請求項３に記載の孫の手は、前記掻き手部の手首側に第２の装飾部が形成されていることを特徴とする。
【０００９】
更にまた、本考案の請求項４に記載の孫の手は、前記掻き手部の指部に第３の装飾部が形成されていることを特徴とする。
【００１０】
また、本考案の請求項５に記載の孫の手は、前記掻き手部の手のひらに手相が形成されていることを特徴とする。
【考案の効果】
【００１１】
本考案の請求項１に記載の孫の手によれば、扁平な掻き手部は合成樹脂材より人の手の形状に模して形成され、掻き手部先端側に弯曲状の指部が形成され、前記基部または扁平な掻き手部の少なくとも何れかに装飾部が形成されているので、背中の痒い部分を人に掻いてもらうように、背中の形状に対応して迅速且つ適格に掻くことができ、また背中を軽くマッサージすることができ、掻き手部や腕部としての棒状の基部を破損させる虞がなく耐久性に優れ、基部または扁平な掻き手部の少なくとも何れかの装飾部が外観を向上させることができ、趣向を向上させることができ、優雅に心地よく孫の手を利用することができる。
【００１２】
本考案の請求項２に記載の孫の手によれば、前記基部の扁平な掻き手部と近接する側に第１の装飾部が形成されているので、第１の装飾部が更に外観を向上させることができ、趣向を向上させることができ、優雅に心地よく孫の手を利用することができる。
【００１３】
本考案の請求項３に記載の孫の手によれば、前記掻き手部の手首側に第２の装飾部が形成されているので、第２の装飾部が更に外観を向上させることができ、趣向を向上させることができ、優雅に心地よく孫の手を利用することができる。
【００１４】
本考案の請求項４に記載の孫の手によれば、前記掻き手部の指部に第３の装飾部が形成されているので、第３の装飾部が更に外観を向上させることができ、趣向を向上させることができ、優雅に心地よく孫の手を利用することができる。
【００１５】
本考案の請求項５に記載の孫の手によれば、前記掻き手部の手のひらに手相が形成されているので、手のひらの手相が更に外観を向上させることができ、趣向を向上させることができ、優雅に心地よく孫の手を利用することができる。
【考案を実施するための最良の形態】
【００１６】
以下本考案に係る孫の手を図面を参照して詳述する。
【００１７】
図１乃至図３には本考案に係る孫の手の実施の形態が夫々示されており、図１は孫の手の正面説明図、図２は孫の手の底面説明図、図３は孫の手の背面説明図である。
【００１８】
図１乃至図３に示す如く、本考案に係る孫の手１１は握り部１３を一端に有し適宜の長さに形成された腕部としての棒状の基部１２と、この基部１２の先端に設けられた扁平な掻き手部１５とを備えている。棒状の基部１２は本実施の形態では金属製のパイプから形成されているが、合成樹脂材より形成することもでき、また適宜のメッキを施すこともできる。
【００１９】
前記基部１２の一端の握り部１３とは反対側の基部１２の先端側は扁平な扁平部１４に形成されている。尚、基部１２の一端の握り部１３に革や布を巻き付け、美観を向上させることもでき、更に適宜の凹凸部を設け、滑り止めとすることができる。この基部１２の握り部１３側は断面略円形状に形成されているが、基部１２全体を扁平な扁平部１４に形成することもできる。
【００２０】
更に、前記基部１２の中間部に折り畳み可能なヒンジ部を設け，または基部１２の中間部で前方部を細径な軸に形成し、後方部を前方部の細径な軸を嵌合することができる棒状に形成して基部１２を短くして使用し、または携帯を容易にすることもできる。
【００２１】
この基部１２の先端側の扁平部１４には酢酸セルロース等の合成樹脂材より形成された扁平な掻き手部１５が接合されている。この扁平な掻き手部１５の基部側の取付部１５ａが基部１２の先端側の扁平部１４に嵌合され、接着剤やビス等により固着されている。
【００２２】
前記扁平な掻き手部１５は人の手の形状に模して形成され、この掻き手部１５の先端側に半円弧状に弯曲する弯曲状の指部１７が形成されている。尚、本実施の形態では左手が表示されているが右手であってもよく、更に指部１７を大きく形成することもできる。
【００２３】
また、図３に示す如く、掻き手部１５の手のひら側には生命線，運命線等の手相１９が表示されている。尚、扁平な掻き手部１５を酢酸セルロース等の合成樹脂材より成形する際に、べっ甲調のまだら模様、または象牙調の白色の模様等を施すことができる。更に、指部１７の先端に爪部を設け、この爪部にマニキュアを施し、ネイルアートのようなカラフルな模様を施すこともできる。
【００２４】
前記基部１２の先端側の扁平部１４には第１の装飾部２１としての複数の宝石が取付けられている。この第１の装飾部２１の宝石は本物の宝石とすることも、またはガラス玉のような疑似宝石とすることもできる。尚、本実施の形態では表面側に３個、裏面側に２個長手方向に沿って取付けてあるが、宝石の数や配設位置、大きさ等は図示のものに限定されるものではない。第１の装飾部２１は複数の宝石を用いるものに限定されるものではなく、彫刻やペイントで模様を施すこともできる。
【００２５】
前記基部１２の一端の握り部１３の端部には、前記宝石からなる第１の装飾部２１と形状の似た宝石からなる装飾部２２が取付けられている。この宝石からなる装飾部２２は握り部１３の端部に嵌合固着されたフランジ部を有する円形板状の取付片に取付けられている。この装飾部２２の大きさは棒状の握り部１３の径に対応して形成されている。またこの宝石からなる装飾部２２に代えてフクロウ，馬，ハート，花の形状等の飾りを形成することもできる。また握り部１３の端部には、フック等に掛け止めることができるようにチェーン２３が取付けられている。
【００２６】
前記扁平な掻き手部１５の手首側にブレスレット状の第２の装飾部２５が形成されている。この第２の装飾部２５は本実施の形態では複数の宝石から形成されている。このブレスレット状の複数の宝石からなる第２の装飾部２５は前記基部１２の先端側の扁平部１４の第１の装飾部２１としての宝石より多少小さく形成されている。
【００２７】
このブレスレット状の複数の宝石からなる第２の装飾部２５により更に外観を向上させることができ、優雅に心地よく孫の手を利用することができる。尚、ブレスレット状の第２の装飾部２５を複数連とすることができ、複数の宝石の形状や大きさ等は適宜変形変更することができる。更に第１の装飾部２１と同様に宝石を用いるものに限定されるものではなく、彫刻やペイントで模様を施すこともできる。
【００２８】
図１に示す如く、前記掻き手部１５の指部１７に第３の装飾部２７が形成されている。この第３の装飾部２７は本実施の形態では指輪に模した小さな宝石が取付けられている。この第３の装飾部２７は薬指に１個設けられているが、他の指でもよく、または複数とすることもできる。尚更に、指部１７の爪部にネイルアートを施して第３の装飾部２７とすることができ、この第３の装飾部２７も彫刻やペイントで形成することができる。
【図面の簡単な説明】
【００２９】
【図１】本考案に係る孫の手の正面説明図。
【図２】本考案に係る孫の手の底面説明図。
【図３】本考案に係る孫の手の一部拡大背面説明図。
【符号の説明】
【００３０】
１１    孫の手
１２    棒状の基部
１３    握り部
１４    扁平部
１５    掻き手部
１５ａ  取付部
１７    指部
１９    手相
２１    第１の装飾部
２２    装飾部
２３    チェーン
２５    第２の装飾部
２７    第３の装飾部
【図１】
0003134313.tif 000003
【図２】
0003134313.tif 000004
【図３】
0003134313.tif 000005